(57)【要約】      （修正有）【課題】園芸用薬液の調製及び散布を簡易に行えるようにした園芸用薬液の調製及び散布セットを提供する。【解決手段】液体をシャワー状に散布するためのヒンジキャップ７が上部口部６に取り外し可能に装着され、ヒンジキャップ７を取り外すことにより液体を注入することができる容器１と、水に溶解させる粉末薬剤の複数の分包袋を収納する包装体１６とを備える。また、包装体１６は、容器１の上部口部６に首掛けするための首掛け穴２０を有する。容器１の容量と、一袋の分包袋の粉末薬剤を水で溶解させて生成される園芸用薬液の量とが同量となっている。【選択図】図１
0003172923.tif 000002
【実用新案登録請求の範囲】
【請求項１】
液体を散布するためのキャップが上部口部に取り外し可能に装着され、前記キャップを取り外すことにより液体を注入することができる容器と、
園芸用薬液を生成するための、液体に溶解させる粉末薬剤又は液体で希釈する液体薬剤の一又は複数の分包体とを備えたことを特徴とする園芸用薬液の調製及び散布セット。
【請求項２】
前記一又は複数の分包体を収納する包装体を備え、
前記包装体は、前記容器の前記上部口部又は前記キャップに首掛けするための首掛け穴を有することを特徴とする請求項１に記載の園芸用薬液の調製及び散布セット。
【請求項３】
前記容器に前記一又は複数の分包体を収納する収納部が形成されていることを特徴とする請求項１に記載の園芸用薬液の調製及び散布セット。
【請求項４】
前記容器の容量と、前記分包体の一つ及び液体で生成される園芸用薬液の量とが同量であることを特徴とする請求項１乃至３のいずれか１項に記載の園芸用薬液の調製及び散布セット。
【考案の詳細な説明】
【技術分野】
【０００１】
本考案は、主に家庭園芸において除草剤等の園芸用薬液を調製、散布するのに利用して好適な園芸用薬液の調製及び散布セットに関する。
【背景技術】
【０００２】
除草剤等の園芸用薬液には、粉末薬剤や液体薬剤のかたちで販売され、使用時に水を加えて調製するものがある。
【先行技術文献】
【特許文献】
【０００３】
【特許文献１】特開２００６−６１０５８号公報
【考案の概要】
【考案が解決しようとする課題】
【０００４】
従来は、使用者が容器を用意して、その容器に粉末又は液体薬剤を入れるとともに水を注入して園芸用薬液を調製していた。この場合に、粉末又は液体薬剤の薄め方を間違うと、効果が得られないばかりか、草花にダメージを与えるおそれもある。そのため、適量の粉末又は液体薬剤と適量の水とを混ぜるための計量が必要となり、調製に手間がかかってしまう。
また、調製した園芸用薬液を散布するためにはじょうろ等を用意する必要がある。
また、園芸用薬液の調製後や散布後には、調製に使用した容器や散布に使用したじょうろを洗浄しなければならず、その手間がかかってしまう。
【０００５】
上記のような点に鑑みて、特許文献１には、スパウト付きスタンディングパウチ容器と、所定量の薬剤が封入され、使用時にスタンディングパウチ容器のスパウト部に取り付けて固定した後、内部の薬剤をスタンディングパウチ容器内に解放する機構を有する小容器と、スタンディングパウチ容器のスパウト部に取り付け可能な液剤散布部材とを備えた薬剤散布セットが提案されている。
しかしながら、特許文献１の薬剤散布セットでは、スタンディングパウチ容器のスパウト部に小容器を取り付けて薬剤を解放した後、小容器を取り外して液剤散布部材に取り替えなければならず、手間がかかってしまう。
【０００６】
本考案は上記のような点に鑑みてなされたものであり、園芸用薬液の調製及び散布を簡易に行えるようにした園芸用薬液の調製及び散布セットを提供することを目的とする。
【課題を解決するための手段】
【０００７】
本考案の園芸用薬液の調製及び散布セットは、液体を散布するためのキャップが上部口部に取り外し可能に装着され、前記キャップを取り外すことにより液体を注入することができる容器と、園芸用薬液を生成するための、液体に溶解させる粉末薬剤又は液体で希釈する液体薬剤の一又は複数の分包体とを備えたことを特徴とする。
また、本考案の園芸用薬液の調製及び散布セットの他の特徴とするところは、前記一又は複数の分包体を収納する包装体を備え、前記包装体は、前記容器の前記上部口部又は前記キャップに首掛けするための首掛け穴を有する点にある。
また、本考案の園芸用薬液の調製及び散布セットの他の特徴とするところは、前記容器に前記一又は複数の分包体を収納する収納部が形成されている点にある。
さらに、本考案の園芸用薬液の調製及び散布セットの他の特徴とするところは、前記容器の容量と、前記分包体の一つ及び液体で生成される園芸用薬液の量とが同量である点にある。
【考案の効果】
【０００８】
本考案によれば、園芸用薬液の調製及び散布を簡易に行えるようにした園芸用薬液の調製及び散布セットを提供することができる。
【図面の簡単な説明】
【０００９】
【図１】実施形態に係る園芸用薬液の調製及び散布セットを示す図であり、（ａ）が包装体、（ｂ）が容器を示す図である。
【図２】実施形態に係る園芸用薬液の調製及び散布セットを示す図であり、容器に包装体を首掛けした状態を示す図である。
【図３】ヒンジキャップの構成例を示す図である。
【図４】包装体の箱部から分包袋を取り出した状態を示す図である。
【図５】他の実施形態に係る園芸用薬液の調製及び散布セットの容器を示す図である。
【考案を実施するための形態】
【００１０】
以下、添付図面を参照して、本考案の好適な実施形態について説明する。
図１は、実施形態に係る園芸用薬液の調製及び散布セットを示す図であり、（ａ）が包装体１６、（ｂ）が容器１を示す。容器１は、全体として上下に長い箱型を呈し、側面２の下部に把手３が一体成形されている。また、容器１の上面４には、把手３とは逆側の側面５に近い位置に、上方に突出する筒状の口部６（以下、上部口部と称する）が一体成形されている。
【００１１】
容器１の上部口部６には、液体を散布するためのヒンジキャップ７が取り外し可能に装着されている。ヒンジキャップ７は、図３に示すように、容器１の上部口部６に取り外し可能に螺合する筒状のキャップ本体８と、キャップ本体８にヒンジ部９により接続するキャップカバー１０とからなる。本実施形態のヒンジキャップ７は、キャップ本体８の下端部がリング１１と薄肉部１２で連結し、初回開封時はキャップ本体８を回転させて薄肉部１２を切断する、所謂バージンキャップとなっている。
【００１２】
キャップ本体８のキャップカバー１０により開閉される面１３には、容器１に収容された液体をシャワー状に散布するための多数の噴出穴１４が形成されるとともに、中央部分には容器１の内部に延出する空気導入管１５が設けられている。
【００１３】
一方、包装体１６は、紙或いは合成樹脂等により形成され、平坦状の基部１７と、基部１７の上辺の一部から上部に突出する突出片部１８と、基部１７上に設けられた箱部１９とからなる。突出片部１８には、包装体１６を容器１の上部口部６（或いは上部口部６に装着されたヒンジキャップ７）に首掛けするための首掛け穴２０が形成されている。基部１７は、図２に示すように、容器１に首掛けした状態で、容器１の上下高さと略同等の高さとなる。箱部１９は、その上面１９ａが開閉可能な蓋となっている。
【００１４】
ここで、包装体１６の箱部１９には、水等の液体に溶解させて園芸用薬液を生成する粉末薬剤の分包袋２１が３袋収納される。本実施形態では、容器１の容量が約２[ｌ]であり、一袋の分包袋２１の粉末薬剤を水で溶解させて生成される園芸用薬液の量が、容器１の容量と同量の２[ｌ]となっている。
【００１５】
このようにした園芸用薬液の調製及び散布セットは、箱部１９に３袋の分包袋２１を収納した包装体１６を、空の容器１に首掛けした状態で販売される。
【００１６】
購入者は、容器１の上部口部６からヒンジキャップ７を取り外すとともに、包装体１６を取り外す。そして、包装体１６から取り出した一袋の分包袋２１の粉末薬剤を容器１内に入れるとともに、容器１に水を注入して粉末薬剤を溶解させる。これにより、２[ｌ]の園芸用薬液が調製されることになる。なお、容器１にマークを設けておき、そのマークまで水を入れるのが適量であることをユーザに分からせるようにしてもよい。
【００１７】
園芸用薬液を散布するときには、キャップカバー１０を開いて、把手３を持って上部口部６を下向きに傾けると、容器１に収容された園芸用薬液が噴出穴１４からシャワー状に噴出する。
【００１８】
残りの分包袋２１は保存しておき、園芸用薬液を使い切って容器１が空になった後、同じように一袋の分包袋２１の粉末薬剤を容器１内で水に溶解させる。
【００１９】
以上、本考案を実施形態と共に説明したが、本考案はこれらの実施形態にのみ限定されるものではなく、本考案の範囲内で変更等が可能である。例えば容器１やヒンジキャップ７、包装体１６の形状、サイズ等は一例であり、それに限られるものではない。
【００２０】
また、上記実施形態では水に溶解させる粉末薬剤を例にしたが、水で希釈する液体薬剤であってもよい。また、本考案でいう分包体として分包袋２１を例にしたが、水で希釈する液体薬剤等の場合には樹脂製の分包容器を用いてもよい。
【００２１】
また、例えば図５に示すように、容器１の側面等に収納部として凹部２２を形成しておき、その凹部２２に分包袋又は分包容器を収納するような形態でもよい。この場合、販売時には、凹部２２に分包袋又は分包容器を収納した状態で容器１にフィルムを巻きつける等して、分包袋又は分包容器が凹部２２から脱落しないようにすればよい。
【符号の説明】
【００２２】
１：容器、７：ヒンジキャップ、１６：包装体、１９：箱部、２０：首掛け穴、２１：分包袋、２２：凹部
【図１】
0003172923.tif 000003
【図２】
0003172923.tif 000004
【図３】
0003172923.tif 000005
【図４】
0003172923.tif 000006
【図５】
0003172923.tif 000007